(57)【要約】  本発明の空調機制御システムは、文字の表示位置及び文字の表示サイズを示す画面情報を格納している画面データベースと、文字を画像データとして記録する画像データベースと、画像データベースから画像データを読み出し、画面情報に基づいて画面画像を構築する画面構築手段と、空調機の操作手段として画面画像を表示する表示手段と、を備えたものである。
2017122305.tif 000002
【特許請求の範囲】
【請求項１】
文字の表示位置及び文字の表示サイズを示す画面情報を格納している画面データベースと、
文字を画像データとして記録する画像データベースと、
前記画像データベースから前記画像データを読み出し、前記画面情報に基づいて画面画像を構築する画面構築手段と、
空調機の操作手段として前記画面画像を表示する表示手段と、を備えた
空調機制御システム。
【請求項２】
文字を画像データとして受信する受信手段を更に備え、
前記受信手段は、
前記画像データを前記画像データベースに記録する
請求項１に記載の空調機制御システム。
【請求項３】
予め規定されたフォーマットの言語設定表を撮像し、前記言語設定表に記載されている文字を撮像データに変換する撮像手段と、
前記撮像手段により変換された前記撮像データを解析し、前記画像データを作成する画像構築手段と、
前記画像データを前記受信手段に送信する送信手段と、を更に備えた
請求項２に記載の空調機制御システム。
【請求項４】
前記送信手段は、
前記受信手段に無線通信によって前記画像データを送信する
請求項３に記載の空調機制御システム。
【請求項５】
前記無線通信は、
２．４ＧＨｚ帯の周波数によって行われる
請求項４に記載の空調機制御システム。
【請求項６】
前記画面構築手段は、
前記画像データベースに必要とする前記画像データがあるとき、該画像データを読み出し前記画面画像を構築する
請求項１〜５の何れか１項に記載の空調機制御システム。
【請求項７】
前記画像データを送受信する中継器を更に備え、
前記中継器は、
前記送信手段から前記画像データを受信し、前記受信手段へ前記画像データを送信する
請求項３に記載の空調機制御システム。
【請求項８】
前記中継器は、
前記画像データを一時的に蓄積し、前記受信手段へ前記画像データを送信する
請求項７に記載の空調機制御システム。
【請求項９】
前記言語設定表は、
該言語設定表の文字を一意に識別するためのバーコードが記載されている
請求項３、及び請求項３に従属する請求項４〜８の何れか１項に記載の空調機制御システム。
【請求項１０】
前記画面情報は、
前記表示手段に表示する文字列の位置及びサイズの情報を有する
請求項１〜９の何れか１項に記載の空調機制御システム。
【発明の詳細な説明】
【技術分野】
【０００１】
本発明は、空気調和機を制御する空調機制御システムに関するものである。
【背景技術】
【０００２】
世界には約８０００種類の言語が存在し、かつ、新しい言語は日々刻々と出現する。そのため、それら全ての言語を予め空調機制御システム内に記録しておくことは困難であり、記憶装置の容量の観点からも現実的ではない。このため、従来の空調機制御システムの表示部に表示される言語は、極少数の主要な言語に限られているという問題がある。【０００３】
そこで、上記の問題を解決するために、装置の表示部に表示される言語をユーザのニーズに合わせて置き換えたり、新規に追加する装置が提案されている（例えば特許文献１参照）。この装置は、外部からの書き換えが可能な記憶領域を設け、文字データと言語データをチューナから受信し、同一のフォーマットのデータを追加及び変更ができるものである。
【先行技術文献】
【特許文献】
【０００４】
【特許文献１】特開２００３−２７４３０７号公報
【発明の概要】
【発明が解決しようとする課題】
【０００５】
特許文献１に記載の装置は、予め装置に記録された文字列データと言語データを置き換えるため、装置に搭載済みのデータと同一のフォーマットの文字列データと言語データを追加しなければならない。このため、新たに文字列データと言語データを追加する組み込み装置を開発するために複雑かつ専門的な技術及び知識が必要であり、容易に文字列データと言語データを置き換えることができないという問題点があった。【０００６】
本発明は、上記のような問題点を解決するためになされたものであり、空調機制御システムの表示手段に表示される言語をユーザのニーズに合わせて簡便に置き換えることが可能な空調機制御システムを得ることを目的とする。
【課題を解決するための手段】
【０００７】
本発明に係る空調機制御システムは、文字の表示位置及び文字の表示サイズを示す画面情報を格納している画面データベースと、文字を画像データとして記録する画像データベースと、前記画像データベースから前記画像データを読み出し、前記画面情報に基づいて画面画像を構築する画面構築手段と、空調機の操作手段として前記画面画像を表示する表示手段と、を備えたものである。
【発明の効果】
【０００８】
本発明によれば、画面情報及び画像データに基づいて空調機制御システムの表示部に表示される画面画像を構築する構成とする。このようにすることで、空調機制御システムの表示手段に表示される言語をユーザのニーズに合わせて簡便に置き換えることが可能な空調機制御システムを得ることができる。
【図面の簡単な説明】
【０００９】
【図１】本発明の実施の形態に係る空調機制御システムの構成を示す概略構成図である。
【図２】本発明の実施の形態に係る空調機制御システムの言語設定表を示す模式図である。
【図３】本発明の実施の形態に係る空調機制御システムの画像構築装置を示すブロック図である。
【図４】本発明の実施の形態に係る空調機制御システムの撮像データベースの構成を示す模式図である。
【図５】本発明の実施の形態に係る空調機制御システムの送信画像データベースの構成を示す模式図である。
【図６】本発明の実施の形態に係る空調機制御システムの空調機制御装置を示すブロック図である。
【図７】本発明の実施の形態に係る空調機制御システムの受信画像データベースの構成を示す模式図である。
【図８】本発明の実施の形態に係る空調機制御システムの言語データベースの構成を示す模式図である。
【図９】本発明の実施の形態に係る空調機制御システムの画面データベースの構成を示す模式図である。
【図１０】本発明の実施の形態に係る空調機制御システムの画像構築装置の動作を示すフローチャート図である。
【図１１】本発明の実施の形態に係る空調機制御システムの空気制御装置の動作を示すフローチャート図である。
【発明を実施するための形態】
【００１０】
以下、本発明の空調機制御システムの実施の形態について、図面を参照して説明する。なお、図面の形態は一例であり、本発明を限定するものではない。また、各図において同一の符号を付したものは、同一の又はこれに相当するものであり、これは明細書の全文において共通している。さらに、以下の図面では各構成部材の大きさの関係が実際のものとは異なる場合がある。
【００１１】
実施の形態１．
［空調機制御システム１００の構成］
図１は、本発明の実施の形態に係る空調機制御システムの構成を示す概略構成図である。図１に示されるように、空調機制御システム１００は、空調機制御装置１０１と、画像構築装置１０２と、言語設定表１０３と、中継器１０４とを備えている。空調機制御装置１０１は、図示しない空気調和機に接続されており、空気調和機の運転状態及び設定状態をユーザが入力して指定するものである。空調機制御装置１０１は、空気調和機の運転状態等を表示する表示部を備えており、ユーザに対して空気調和機の運転状態及び設定状態の表示を行うことができる。ここで、表示部に画像及び文字を表示する際、表示に用いる言語はユーザにとって操作をする上で非常に重要である。出身国が異なり使用する言語も異なる様々なユーザに対応するため、空調機制御装置１０１の中には、複数の言語用の文字列が予め記録されており、どの言語を表示するかはユーザが自由に設定することができる。
【００１２】
空調機制御システム１００が有する空調機制御装置１０１、画像構築装置１０２、言語設定表１０３及び中継器１０４の詳細な構成及び動作フロー等については後述するが、画像構築装置１０２は、言語設定表１０３を撮像する。そして、画像構築装置１０２は、撮像したデータを空調機制御装置１０１に直接送信する。または、画像構築装置１０２は、撮像したデータを中継器１０４を経由させて空調機制御装置１０１に送信する。このように、空調機制御システム１００は構成されている。
【００１３】
［言語設定表１０３の構成］
まず、空調機制御システム１００の一部を構成する言語設定表１０３の構成について説明する。
図２は、本発明の実施の形態に係る空調機制御システムの言語設定表を示す模式図である。図２に示されるように、言語設定表１０３は、ユーザが表示したい文字列及び絵文字を手書き入力するための予め規定されたフォーマットを備えた紙である。言語設定表１０３には、複数の分割枠１０３ｄが記載され、各々の分割枠１０３ｄには、手書き入力欄１０３ａ、英語訳欄１０３ｂ、バーコード１０３ｃが設けられている。なお、文字列及び絵文字は本発明における「文字」に相当する。
【００１４】
手書き入力欄１０３ａは、自由な書式で手書きをするための記入欄であり、ユーザが表示したい様々な言語の文字列又は絵文字などを記入することができる。英語訳欄１０３ｂは、手書き入力欄１０３ａに記載された文字列等に対応する英語訳が記載されている。バーコード１０３ｃは、各々の分割枠１０３ｄに記載されているデータを一意に識別するためのバーコードである。
【００１５】
なお、本実施の形態において言語設定表１０３は紙により形成されている例を示したが、本発明はこれに限定されず、例えばプラスチック製のボードで形成してもよいし、デジタル手書き端末などで代用してもよい。
また、本実施の形態においてバーコード１０３ｃは一次元バーコードである例に示したが、本発明はこれに限定されず、例えば０〜９の数字を用いた複数桁の数字列、又はＱＲコード（登録商標）のような二次元バーコードなどを用いてもよい。
【００１６】
［画像構築装置１０２の構成］
次に、空調機制御システム１００の一部を構成する画像構築装置１０２の構成について説明する。
図３は、本発明の実施の形態に係る空調機制御システムの画像構築装置を示すブロック図である。図４は、本発明の実施の形態に係る空調機制御システムの撮像データベースの構成を示す模式図である。図５は、本発明の実施の形態に係る空調機制御システムの送信画像データベースの構成を示す模式図である。
図３に示されるように、画像構築装置１０２は、撮像手段３０１、画像構築手段３０２、送信手段３０３、撮像データベース３０４及び送信画像データベース３０５を備えている。
【００１７】
撮像手段３０１は、マイクロコンピュータなどの演算処理装置、演算処理装置上で動作するプログラム及びカメラによって構成されている。撮像手段３０１は、言語設定表１０３の手書き入力欄１０３ａに記載された文字列、英語訳欄１０３ｂに記載されている英語訳、及びバーコード１０３ｃのデータを撮像し、撮像したデータを電子データ化して撮像データベース３０４に記録する。
【００１８】
画像構築手段３０２は、マイクロコンピュータなどの演算処理装置、及び演算処理装置上で動作するプログラムによって構成されている。画像構築手段３０２は、撮像データベース３０４に記録された電子データを解析し、画像データを作成する。作成手順としては、画像構築手段３０２は、言語設定表１０３を分割枠１０３ｄに沿って分割し、それぞれの分割枠１０３ｄ内からバーコード１０３ｃを読み取ると共に、手書き入力欄１０３ａに記載された文字列等の切り出しを行う。画像構築手段３０２は、読み取ったバーコード１０３ｃを数値に変換し、切り出した文字列等の画像と共に画像データとして記録する。画像構築手段３０２は、作成された画像データを送信画像データベース３０５に記録する。
【００１９】
送信手段３０３は、マイクロコンピュータなどの演算処理装置、演算処理装置上で動作するプログラム、無線通信チップ及び通信用アンテナにより構成されている。送信手段３０３は、送信画像データベース３０５に記録されている画像データを空調機制御装置１０１に無線通信によって送信する。無線通信は、２．４ＧＨｚ帯の周波数によって行われる。そして、送信手段３０３は、送信した画像データのデータを送信画像データベース３０５から削除する。
【００２０】
なお、本実施の形態において無線通信が２．４ＧＨｚ帯の周波数によって行われる例を示したが、本発明はこれに限定されず、他の周波数によって無線通信を行ってもよいし、有線通信で画像データを送信してもよい。また、本実施の形態において撮像手段３０１、画像構築手段３０２及び送信手段３０３が使用するマイクロコンピュータなどの演算処理装置を個別に設けた例を示したが、本発明はこれに限定されず、共用の演算処理装置で各種の処理を行ってもよい。
【００２１】
図４に示されるように、撮像データベース３０４は、不揮発性メモリにより構成され、不揮発性メモリ上には文字列ＩＤ８０１と撮像画像データ８０２とが記録されている。文字列ＩＤ８０１には、撮像手段３０１によって電子データ化されたバーコード１０３ｃに対応する数値が格納されている。この数値により撮像した画像を一意に特定することができる。撮像画像データ８０２には、手書き入力欄１０３ａに記載された文字列等が撮像手段３０１によって電子データ化されて格納されている。
【００２２】
図５に示されるように、送信画像データベース３０５は、不揮発性メモリにより構成され、不揮発性メモリ上には文字列ＩＤ９０１と送信画像データ９０２とが記録されている。送信画像データベース３０５は、画像構築手段３０２が作成した画像データを記録する。文字列ＩＤ９０１には、撮像手段３０１によって電子データ化されたバーコード１０３ｃに対応する数値が格納されている。この数値により撮像した画像を一意に特定することができる。送信画像データ９０２には、ユーザが言語設定表１０３の手書き入力欄１０３ａに手書きで記入した文字列等を、撮像手段３０１によって撮像し、画像構築手段３０２が上述した手順により画像データとしたデータが格納されている。つまり、文字列ＩＤ９０１の数値と文字列ＩＤ８０１の数値が同じ場合、送信画像データ９０２と撮像画像データ８０２とは同一のデータとなる。
【００２３】
なお、本実施の形態において、撮像データベース３０４及び送信画像データベース３０５を個別に設けた例を示したが、本発明はこれに限定されず、不揮発性メモリを共用にして使用してもよい。なお、画像構築装置１０２は、例えばスマートフォン又はタブレット端末と専用アプリケーションの組み合わせとして実現しても良い。
【００２４】
［空調機制御装置１０１の構成］
図６は、本発明の実施の形態に係る空調機制御システムの空調機制御装置を示すブロック図である。図７は、本発明の実施の形態に係る空調機制御システムの受信画像データベースの構成を示す模式図である。図８は、本発明の実施の形態に係る空調機制御システムの言語データベースの構成を示す模式図である。図９は、本発明の実施の形態に係る空調機制御システムの画面データベースの構成を示す模式図である。
【００２５】
図６に示されるように、空調機制御装置１０１は、受信手段２０１、画面構築手段２０２、表示手段２０３、受信画像データベース２０４、言語データベース２０５、及び画面データベース２０６を備えている。なお、受信画像データベース２０４は本発明における「画像データベース」に相当する。
【００２６】
受信手段２０１は、マイクロコンピュータなどの演算処理装置、演算処理装置上で動作するプログラム、無線通信チップ及び通信用アンテナにより構成されている。受信手段２０１は、画像構築装置１０２の送信手段３０３から無線通信によって送信される画像データを受信し、受信画像データベース２０４に記録する。無線通信は、２．４ＧＨｚ帯の周波数によって行われる。
【００２７】
画面構築手段２０２は、マイクロコンピュータなどの演算処理装置、及び演算処理装置上で動作するプログラムによって構成されている。画面構築手段２０２は、受信画像データベース２０４に記録され、必要とする画像データがあるときは、当該画像データを読み出すと共に、画面データベース２０６に格納されている画面情報を読み出して、表示手段２０３に表示する画面画像を構築する。なお、画面情報については、図９において後述する。
【００２８】
表示手段２０３は、マイクロコンピュータなどの演算処理装置、及び演算処理装置上で動作するプログラム、及び液晶パネルにより構成されている。表示手段２０３は、画面構築手段２０２が構築した画面画像をユーザに対して表示する。画面画像はビットマップ形式であり、表示手段２０３はそれをユーザが視認可能な形態で物理的に表現する。
【００２９】
なお、本実施の形態において受信手段２０１、画面構築手段２０２及び表示手段２０３が使用するマイクロコンピュータなどの演算処理装置を個別に設けた例を示したが、本発明はこれに限定されず、共用の演算処理装置で各種の処理を行ってもよい。
【００３０】
図７に示されるように、受信画像データベース２０４は、不揮発性メモリにより構成され、不揮発性メモリ上には文字列ＩＤ５０１と、受信画像データ５０２とが記録されている。文字列ＩＤ５０１には、送信手段３０３から送信され、受信手段２０１が受信した送信画像データベース３０５の文字列ＩＤ９０１の数値が格納されている。この数値により撮像した画像を一意に特定することができる。受信画像データ５０２には、送信画像データ９０２に対応するデータが格納されており、このデータはビットマップ形式のデータである。つまり、文字列ＩＤ５０１の数値と文字列ＩＤ９０１の数値が同じ場合、受信画像データ５０２には、送信画像データ９０２と同一のデータが格納されることとなる。
【００３１】
図８に示されるように、言語データベース２０５は、不揮発性メモリにより構成され、不揮発性メモリ上には文字列ＩＤ６０１と、文字列６０２と、言語６０３とが記録されている。言語データベース２０５には、初期設定として予め様々な言語に対応した文字列と、その文字列に対応した文字列ＩＤが記録されている。文字列ＩＤ６０１は、言語データエントリを特定するための番号であり、この番号により文字列６０２のデータを一意に特定することができる。文字列６０２は表示手段２０３に表示する文字情報である。それぞれの文字列を構成する文字は、１バイトから３バイトの数値である。言語６０３には、文字列６０２が表す文字列の言語が記録されている。
【００３２】
図９に示されるように、画面データベース２０６は、不揮発性メモリにより構成され、不揮発性メモリ上には、画面情報として画面番号７０１、文字列ＩＤ７０２、Ｘ座標７０３、Ｙ座標７０４、Ｘ方向サイズ７０５、及びＹ方向サイズ７０６が記録されている。画面番号７０１は、画面の番号を記録している。画面データベース２０６に記録された画面は、紙芝居のようになっており、１つの画面に対して１つの画面番号が割り振られている。１つの画面の中には複数の文字列ＩＤ７０２が存在しており、文字列ＩＤ７０２の表示場所と表示内容を変えることにより、異なる画面を構成する。このため、同一の画面番号７０１に対して、複数の文字列ＩＤ７０２が割り振られている。なお、画面番号７０１、文字列ＩＤ７０２、Ｘ座標７０３、Ｙ座標７０４、Ｘ方向サイズ７０５、及びＹ方向サイズ７０６は、本発明における「画面情報」に相当する。
【００３３】
文字列ＩＤ７０２は、文字列を特定するための数値である。１つの文字列に対して必ず１つの文字列ＩＤ７０２の数値が割り振られている。
【００３４】
画面データベース２０６は、画面構築手段２０２が画面画像を構築する際に使用する情報が格納されている。具体的には、画面データベース２０６は、上述した画面番号７０１、文字列ＩＤ７０２に加え、Ｘ座標７０３、Ｙ座標７０４、Ｘ方向サイズ７０５及びＹ方向サイズ７０６のデータも備えている。
【００３５】
Ｘ座標７０３には、画像データを表示手段２０３に表示する際の位置決めで使用するＸ座標が記録されている。Ｘ座標７０３は、文字列の画面上における水平方向の位置を示す。表示手段２０３の最も左端を０とし、水平方向の右に行くほど数値が増加し、そして、表示手段２０３の最も右端は、表示手段２０３の水平方向のピクセル数に一致する。
【００３６】
また、Ｙ座標７０４には、画像データを表示手段２０３に表示する際の位置決めで使用するＹ座標が記録されている。Ｙ座標７０４は、文字列の画面上における垂直方向の位置を示す。表示手段２０３の最も上端を０とし、垂直方向の下に行くほど数値が増加し、そして、表示手段２０３の最も下端は、表示手段２０３の垂直方向のピクセル数に一致する。
【００３７】
また、Ｘ方向サイズ７０５には、画像データを表示手段２０３に表示する際のサイズを決めるＸ方向へのサイズが記録されている。Ｘ方向サイズ７０５は、文字列の表示手段２０３上における水平方向のピクセル数を示す。また、Ｙ方向サイズ７０６には、画像データを表示手段２０３に表示する際のサイズを決めるＹ方向へのサイズが記録されている。Ｙ方向サイズ７０６は、文字列の表示手段２０３上における垂直方向のピクセル数を示す。
【００３８】
なお、本実施の形態において、受信画像データベース２０４、言語データベース２０５及び画面データベース２０６を個別に設けた例を示したが、本発明はこれに限定されず、不揮発性メモリを共用にして使用してもよい。
【００３９】
［中継器１０４の構成］
図１に示されるように、中継器１０４は画像構築装置１０２が送信する画像データを一時的に保存する。そして、ユーザからの要望があった場合に、空調機制御装置１０１に画像データのデータを送信する。例えば、空調機制御装置１０１と画像構築装置１０２とが直接通信できない場合、又は空調機制御装置１０１と画像構築装置１０２に通信の時間的なずれがある場合に使用する。このように、中継器１０４を使用することにより、空調機制御装置１０１と画像構築装置１０２とが直接通信できない場合などでも、確実にデータの送受信が行える。具体的には、以下のような手順である。画像構築装置１０２が、中継器１０４に対して、画像データを送信する。中継器１０４は、受信した画像データを、自身の持つ不揮発メモリ上に記録する。その後、ユーザから要望があった場合に、中継器１０４は、記録した画像データを読み出して、空調機制御装置１０１に送信する。中継器１０４は、マイクロコンピュータなどの演算処理装置、及び演算処理装置上で動作するプログラム、画像データを記録するための不揮発メモリ、および、通信を行うための通信装置により構成されている。
【００４０】
［画像構築装置１０２の動作］
次に、画像構築装置１０２の動作について説明する。図１０は、本発明の実施の形態に係る空調機制御システムの画像構築装置の動作を示すフローチャート図である。以下、図１〜図３を参照しながら図１０の各ステップに基づいて画像構築装置１０２の動作について説明する。
【００４１】
（ステップＳ１００１）
画像構築装置１０２は、言語設定表１０３を撮像した後に、分割枠１０３ｄごとに撮像画像の切り出し処理を開始する。その後、画像構築装置１０２は、（ステップＳ１００２）へ移行する。
【００４２】
（ステップＳ１００２）
画像構築装置１０２は、未処理の撮像画像のデータがあるかを確認する。その後、画像構築装置１０２は、未処理の撮像画像のデータがある場合は、（ステップＳ１００３）へ移行し、それ以外の場合は、（ステップＳ１０１０）へ移行する。
【００４３】
（ステップＳ１００３）
画像構築装置１０２は、撮像画像の左上から順に、右方向に走査を行い、文字列ＩＤを示すバーコード１０３ｃを検索する。バーコード１０３ｃの検索方法は、一定の面積の四角形の中の黒色及び白色部分の割合が規定値以上である場合に、バーコード１０３ｃが存在すると判断する。その後、画像構築装置１０２は、（ステップＳ１００４）へ移行する。
【００４４】
（ステップＳ１００４）
画像構築装置１０２は、読み取ったバーコード１０３ｃを数値に変換する。変換された数値が文字列ＩＤ８０１となる。その後、画像構築装置１０２は、（ステップＳ１００５）へ移行する。
【００４５】
（ステップＳ１００５）
画像構築装置１０２は、読み取ったバーコード１０３ｃの数値を確認し、これまでに処理したことのある数値であるか確認する。読み取ったバーコード１０３ｃの数値がこれまでに処理したことのある数値である場合は、画像構築装置１０２は、（ステップＳ１００６）へ移行し、それ以外の場合は（ステップＳ１０１０）へ移行する。
【００４６】
（ステップＳ１００６）
画像構築装置１０２は、バーコード１０３ｃを中心に拡大方向に画素を検索し、バーコード１０３ｃを囲う分割枠１０３ｄを検索する。そして、画像構築装置１０２は、分割枠１０３ｄの左上、右上、左下、右下の座標を取得する。これ以降は、画像構築装置１０２は、分割枠１０３ｄの内側のみを処理の対象とする。その後、画像構築装置１０２は、（ステップＳ１００７）へ移行する。
【００４７】
（ステップＳ１００７）
画像構築装置１０２は、分割枠１０３ｄの内側の領域にある四角い手書き入力欄１０３ａを検索する。そして、画像構築装置１０２は、手書き入力欄１０３ａの左上、右上、左下、右下の座標を取得する。その後、画像構築装置１０２は、（ステップＳ１００８）へ移行する。
【００４８】
（ステップＳ１００８）
画像構築装置１０２は、手書き入力欄１０３ａの示す座標に従って、手書き入力欄１０３ａに記載された画像を切り出す。その後、画像構築装置１０２は、（ステップＳ１００９）へ移行する。
【００４９】
（ステップＳ１００９）
画像構築装置１０２は、（ステップＳ１００４）で変換したバーコード１０３ｃの数値と、（ステップＳ１００８）で切り出した画像を組み合わせて送信画像データベース３０５に記録する。その後、画像構築装置１０２は、（ステップＳ１００２）へ移行する。
【００５０】
（ステップＳ１０１０）
画像構築装置１０２は、処理を終了する。
【００５１】
このように、画像構築装置１０２が作成し、送信画像データベース３０５に記録された画像データは、既述した通り、送信手段３０３によって、空調機制御装置１０１の受信手段２０１に送信される。
【００５２】
［空調機制御装置１０１の動作］
次に、画像構築装置１０２の送信手段３０３が送信した画像データのデータが、空調機制御装置１０１の受信手段２０１により受信されてから、画面として構築され、表示手段２０３によってユーザに提示されるまでの動作について説明する。図１１は、本発明の実施の形態に係る空調機制御システムの空気制御装置の動作を示すフローチャート図である。以下、図１、図６及び図９を参照しながら図１１の各ステップに基づいて空調機制御装置１０１の動作について説明する。
【００５３】
（ステップＳ１１０１）
空調機制御装置１０１は、画面画像の構築を開始する。この際、構築する画面画像の画面番号７０１がユーザにより指定される。その後、空調機制御装置１０１は、（ステップＳ１１０２）へ移行する。
【００５４】
（ステップＳ１１０２）
空調機制御装置１０１は、ユーザにより指定された画面番号７０１に一致する文字列ＩＤ７０２を持つデータを画面データベース２０６から順に取り出す。その後、空調機制御装置１０１は、（ステップＳ１１０３）へ移行する。
【００５５】
（ステップＳ１１０３）
空調機制御装置１０１は、全ての文字列ＩＤ７０２の取り出し処理が終了しているかを判断する。取り出し処理が終了していない文字列ＩＤ７０２がある場合は、その内の１つを選択し、（ステップＳ１１０４）へ移行し、それ以外の場合は、（ステップＳ１１０６）へ移行する。
【００５６】
（ステップＳ１１０４）
空調機制御装置１０１は、選択した文字列ＩＤ７０２について、同一の文字列ＩＤを持つデータが受信画像データベース２０４に存在するかを検索する。同一の文字列ＩＤを持つデータが受信画像データベース２０４に存在する場合は、空調機制御装置１０１は、（ステップＳ１１０５）へ移行し、それ以外は（ステップＳ１１０７）へ移行する。
【００５７】
（ステップＳ１１０５）
空調機制御装置１０１は、（ステップＳ１１０４）で文字列ＩＤが一致した受信画像データベース２０４の受信画像データ５０２を取り出す。そして、空調機制御装置１０１は、受信画像データ５０２を（ステップＳ１１０３）で選択した文字列ＩＤ７０２のＸ座標７０３及びＹ座標７０４の位置に表示手段２０３を介してユーザに表示する。この際、受信画像データ５０２はＸ方向サイズ７０５及びＹ方向サイズ７０６に縮小又は拡大して表示手段２０３に表示される。その後、空調機制御装置１０１は、（ステップＳ１１０３）へ移行する。
【００５８】
（ステップＳ１１０６）
空調機制御装置１０１は、処理を終了する。
【００５９】
（ステップＳ１１０７）
空調機制御装置１０１は、（ステップＳ１１０３）で選択した文字列ＩＤ７０２に一致する文字列ＩＤを持つデータを言語データベース２０５の文字列ＩＤ６０１から検索する。そして、空調機制御装置１０１は、文字列６０２を文字列ＩＤ７０２のＸ座標７０３及びＹ座標７０４の位置に表示手段２０３を介してユーザに表示する。この際、文字列６０２はＸ方向サイズ７０５及びＹ方向サイズ７０６に縮小又は拡大して表示手段２０３に表示される。その後、空調機制御装置１０１は、（ステップＳ１１０３）へ移行する。
【００６０】
［実施の形態の効果］
以上のことから、本実施の形態によれば、空調機制御システム１００は、文字の表示位置及び文字の表示サイズを示す画面情報を格納している画面データベース２０６と、文字を画像データとして記録する受信画像データベース２０４と、受信画像データベース２０４から画像データを読み出し、画面情報に基づいて画面画像を構築する画面構築手段２０２と、空調機の操作手段として画面画像を表示する表示手段２０３と、を備えるように構成する。このようにすることで、空調機制御システム１００の表示手段２０３に表示される言語をユーザのニーズに合わせて簡便に置き換えることが可能な空調機制御システム１００を得ることができる。なお、空気調和機を使用するユーザと手書き文字を設定するユーザは異なってもよい。例えば、空気調和機を使用するユーザは空気調和機を実際に操作して使用する居住者であり、手書き文字を設定するユーザは施工業者などの据え付け業務を行う者が挙げられる。これにより、施工業者などのユーザは、使用ユーザに合わせた言語を現地で追加することができる。
【００６１】
また、空調機制御システム１００は、文字を画像データとして受信する受信手段２０１を更に備え、受信手段２０１は、画像データを受信画像データベース２０４に記録するように構成する。このようにすることで、不揮発性メモリである受信画像データベース２０４に画像データが記録されるので、電源供給をしなくても空調機制御装置１０１にデータを保存することができる。
【００６２】
また、空調機制御システム１００は、予め規定されたフォーマットの言語設定表１０３を撮像し、言語設定表１０３に記載されている文字を撮像データに変換する撮像手段３０１と、撮像手段３０１により変換された撮像データを解析し、画像データを作成する画像構築手段３０２と、画像データを受信手段２０１に送信する送信手段３０３と、を更に備える構成とする。このようにすることで、言語設定表１０３に記載された文字の画像データを空調機制御装置１０１に送信することができる。
【００６３】
また、送信手段３０３は、受信手段２０１に無線通信によって画像データを送信する。このようにすることで、遠隔地にある受信手段２０１にデータを送信することができる。
【００６４】
また、無線通信は、２．４ＧＨｚ帯の周波数によって行われる。このようにすることで、無線通信として２．４ＧＨｚの周波数帯を使用することにより、室内又は室外を含めて全世界のいずれの場所においても無線通信を使用することができる。
【００６５】
また、空調機制御システム１００は、画像データを送受信する中継器１０４を更に備え、中継器１０４は、送信手段３０３から画像データを受信し、２０１受信手段へ画像データを送信する。このようにすることで、中継器１０４を使用することにより、空調機制御装置１０１と画像構築装置１０２とが直接通信できない場合などでも、確実にデータの送受信が行える。なお、中継器１０４は１台とは限らず、複数台設けても良く、中継器１０４同士がさらにデータを中継する形態を取ってもよい。中継器１０４は、空調機制御装置１０１及び画像構築装置１０２とは離れた場所にあっても良い。空調機制御装置１０１又は画像構築装置１０２と中継器１０４の間にはルーターなどの通信中継装置が置かれても良い。
【００６６】
また、中継器１０４は、画像データを一時的に蓄積し、受信手段２０１へ画像データを送信する。このようにすることで、空調機制御装置１０１と画像構築装置１０２とが直接通信できない時間が存在しても、その時間差を埋めることにより確実にデータの送受信が行える。
【００６７】
また、言語設定表１０３は、該言語設定表１０３の文字を一意に識別するためのバーコード１０３ｃが記載されている。このようにすることで、言語設定表１０３が規定のフォーマットで作成され、文字列ＩＤを含むバーコード１０３ｃが印刷されることで、ユーザの手を煩わせることなく、手書き入力された文字を置き換える画面上の文字列を自動的に特定することができる。
【００６８】
また、画面情報は、表示手段２０３に表示する文字列の位置及びサイズの情報を有する。このようにすることで、画面データベース２０６の文字列ＩＤ７０２に対応した表示座標位置及び表示サイズを保持することができるため、画像構築装置１０２から送信された手書きの文字画像等を自動的に画面上の文字列に置き換えることができる。
【００６９】
また、以上のように、画像構築装置１０２が、撮像手段３０１によって言語設定表１０３を撮像し、データを処理し、空調機制御装置１０１に送信することで、現地で空調機制御装置１０１の表示内容を変更することができる。
【符号の説明】
【００７０】
１００  空調機制御システム、１０１  空調機制御装置、１０２  画像構築装置、１０３  言語設定表、１０３ａ  手書き入力欄、１０３ｂ  英語訳欄、１０３ｃ  バーコード、１０３ｄ  分割枠、１０４  中継器、２０１  受信手段、２０２  画面構築手段、２０３  表示手段、２０４  受信画像データベース、２０５  言語データベース、２０６  画面データベース、３０１  撮像手段、３０２  画面構築手段、３０３  送信手段、３０４  撮像データベース、３０５  送信画像データベース、５０１  文字列ＩＤ、５０２  画像データ、６０１  文字列ＩＤ、６０２  文字列、６０３  言語、７０１  画面番号、７０２  文字列ＩＤ、７０３  Ｘ座標、７０４  Ｙ座標、７０５  Ｘ方向サイズ、７０６  Ｙ方向サイズ、８０１  文字列ＩＤ、８０２  撮像画像データ、９０１  文字列ＩＤ、９０２  送信画像データ。
【図１】
2017122305.tif 000003
【図２】
2017122305.tif 000004
【図３】
2017122305.tif 000005
【図４】
2017122305.tif 000006
【図５】
2017122305.tif 000007
【図６】
2017122305.tif 000008
【図７】
2017122305.tif 000009
【図８】
2017122305.tif 000010
【図９】
2017122305.tif 000011
【図１０】
2017122305.tif 000012
【図１１】
2017122305.tif 000013
【手続補正書】
【提出日】平成30年4月20日(2018.4.20)
【手続補正１】
【補正対象書類名】明細書
【補正対象項目名】０００７
【補正方法】変更
【補正の内容】
【０００７】
本発明に係る空調機制御システムは、文字の表示位置及び文字の表示サイズを示す画面情報を格納している画面データベースと、文字を画像データとして受信する受信手段と、文字を画像データとして記録する画像データベースと、前記画像データベースから前記画像データを読み出し、前記画面情報に基づいて画面画像を構築する画面構築手段と、空調機の操作手段として前記画面画像を表示する表示手段と、を備え、前記受信手段は、予め規定されたフォーマットの言語設定表に記載された文字が撮像された撮像データが解析されることで作成された前記画像データを受信すると、受信した該画像データを前記画像データベースに記録するものである。
【手続補正２】
【補正対象書類名】特許請求の範囲
【補正対象項目名】全文
【補正方法】変更
【補正の内容】
【特許請求の範囲】
【請求項１】
文字の表示位置及び文字の表示サイズを示す画面情報を格納している画面データベースと、
文字を画像データとして受信する受信手段と、
文字を画像データとして記録する画像データベースと、
前記画像データベースから前記画像データを読み出し、前記画面情報に基づいて画面画像を構築する画面構築手段と、
空調機の操作手段として前記画面画像を表示する表示手段と、
を備え、
前記受信手段は、
予め規定されたフォーマットの言語設定表に記載された文字が撮像された撮像データが解析されることで作成された前記画像データを受信すると、受信した該画像データを前記画像データベースに記録する
空調機制御システム。
【請求項２】
予め規定されたフォーマットの言語設定表を撮像し、前記言語設定表に記載されている文字を前記撮像データに変換する撮像手段と、
前記撮像手段により変換された前記撮像データを解析し、前記画像データを作成する画像構築手段と、
前記画像データを前記受信手段に送信する送信手段と、を更に備えた
請求項１に記載の空調機制御システム。
【請求項３】
前記送信手段は、
前記受信手段に無線通信によって前記画像データを送信する
請求項２に記載の空調機制御システム。
【請求項４】
前記無線通信は、
２．４ＧＨｚ帯の周波数によって行われる
請求項３に記載の空調機制御システム。
【請求項５】
前記画面構築手段は、
前記画像データベースに必要とする前記画像データがあるとき、該画像データを読み出し前記画面画像を構築する
請求項１〜４の何れか１項に記載の空調機制御システム。
【請求項６】
前記画像データを送受信する中継器を更に備え、
前記中継器は、
前記送信手段から前記画像データを受信し、前記受信手段へ前記画像データを送信する
請求項２に記載の空調機制御システム。
【請求項７】
前記中継器は、
前記画像データを一時的に蓄積し、前記受信手段へ前記画像データを送信する
請求項６に記載の空調機制御システム。
【請求項８】
前記言語設定表は、
該言語設定表の文字を一意に識別するためのバーコードが記載されている
請求項１〜７の何れか１項に記載の空調機制御システム。
【請求項９】
前記画面情報は、
前記表示手段に表示する文字列の位置及びサイズの情報を有する
請求項１〜８の何れか１項に記載の空調機制御システム。
【国際調査報告】
2017122305.tif 000014
2017122305.tif 000015